(57)【要約】【課題】身体に故障を持つ人が車椅子に坐りながら身につけられ、かつ介護する人も容易に装着の手伝いのできる、暖かい防寒具を提供する。【解決手段】人体の足部から腹部に到る長さを有し、且つ人体の前面を覆える幅を有する縦長の布地部分と、前記縦長の布地部分の横幅より長く、人体の側面に到る長さの横長の布地部分とが一体化してＴ字形と成し、該Ｔ字形布地の下部に、ほぼ円形の底を有し、且つ底面の半円周以上に亙って該底から立ち上り膝部付近までの長さを有する布地を前記縦長の布地部分に固着して円筒状に形成し、さらに前記横長の布地部分の左右上部に紐を取り付けたことを特徴とする車椅子用下半身防寒具。【選択図】図１
0003120276.tif 000002
【実用新案登録請求の範囲】
【請求項１】
人体の足部から腹部に到る長さを有し、且つ人体の前面を覆える幅を有する縦長の布地部分と、前記縦長の布地部分の横幅より長く、人体の側面に到る長さの横長の布地部分とが一体化してＴ字形と成し、該Ｔ字形布地の下部に、ほぼ円形の底を有し、且つ底面の半円周以上に亙って該底から立ち上り膝部付近までの長さを有する布地を前記縦長の布地部分に固着して足部を収納し得る円筒状に形成し、さらに前記横長の布地部分の左右上部に紐を取り付けたことを特徴とする車椅子用下半身防寒具。
【請求項２】
人体の足部から腹部に到る長さであって、下方を末広がりにし、且つ下部を扇状にした布地部分と、前記布地部分の腹部付近の横幅より長く、人体の側面に到る長さの横長の布地部分とが一体化してＴ字形と成し、前記Ｔ字形布地の下方の該末広がり部分を内側に曲げ、そこにほぼ円形の底および襠を加えて固着して足部を収納し得る円筒状に形成し、さらに前記横長の布地部分の左右上部に紐を取り付けたことを特徴とする車椅子用下半身防寒具。
【請求項３】
固着が縫製である請求項１または２記載の車椅子用下半身防寒具。
【請求項４】
布地が２層または３層である請求項１〜３のいずれかに記載の車椅子用下半身防寒具。
【請求項５】
ほぼ円形の底はポケット付き２層構造とし、中に暖房具を収納可能である請求項１〜４のいずれかに記載の車椅子用下半身防寒具。
【請求項６】
横長の布地部分前面にほぼ台形の別の布地を上下辺を固着させて両手を左右から挿入可能なポケットとする請求項１〜５のいずれかに記載の車椅子用下半身防寒具。
【考案の詳細な説明】
【技術分野】
【０００１】  本考案は、身体に何らかの故障を持つ人が車椅子を使用する際に、腹部から足先までの下半身を暖かく包むことができる下半身防寒具に関し、特に車椅子に坐りながら装着可能な下半身防寒具に関する。
【背景技術】
【０００２】  身体に故障を持つ人が移動する際車椅子を使用するが、特に冬期にあっては下半身防寒具として毛布などを膝かけとして用いる。しかし膝かけを下半身に捲きつけても、ズリ落ちたり、隙間から風が入ったりして、十分防寒の役目をはたさないことが多い。【０００３】  そこで、従来から下半身防寒具として幾つか提案されている。
例えば
【特許文献１】特許第３６２５４６４号
これは腹から足先までをスッポリと包み込むもので、背中まで袋の中に入れるため車椅子に乗ったまま装着することは困難であり、且つ背中は車椅子の背もたれがあるため袋に入れなくてもある程度暖かい。又袋にするため何箇所かファスナーを閉じる労力も必要とするので、取扱容易とは言い難い。
また、【特許文献２】実開昭５０−１３５４２０号公報
特許文献１とは異なり、膝から下を包むもので脚部の防寒にはよいが、膝より腹部までは暖かくない。
【考案の開示】
【考案が解決しようとする課題】
【０００４】  本考案は、身体に故障を持つ人が車椅子に坐りながら身につけられ、かつ介護する人が容易に装着の手助けができる腹部から足先まで暖かい下半身防寒具を提供するものである。
【課題を解決するための手段】
【０００５】  請求項１の考案は、人体の足部から腹部に到る長さを有し、且つ人体の前面を覆える幅を有する縦長の布地部分と、前記縦長の布地部分の横幅より長く、人体の側面に到る長さの横長の布地部分とが一体化してＴ字形と成し、該Ｔ字形布地の下部に、ほぼ円形の底を有し、且つ底面の半円周以上に亙って該底から立ち上がり膝部付近までの長さを有する布地を前記縦長の布地部分に固着して足部を収納し得る円筒状に形成し、さらに前記横長の布地部分の左右上部に紐を取付けた車椅子用下半身防寒具である。【０００６】  また請求項２の考案は請求項１の変形で、人体の足部から腹部に到る長さであって、下方を末広がりにし、且つ下部を扇状にした布地部分と前記布地部分の腹部付近の横幅より長く、人体の側面に到る長さの横長の布地部分とが一体化してＴ字形と成し、前記Ｔ字形布地の下方の該末広がり部分を内側に曲げ、そこにほぼ円形の底および襠を加えて固着して、足部を収納し得る円筒状に形成し、さらに前記横長の布地部分の左右上部に紐を取付けた車椅子用下半身防寒具である。【０００７】  請求項３の考案は、固着は布地と布地をしっかり固定できるものであれば何れの方法でも採用できるが、縫製が最も簡便であり確実である。請求項４の考案は布地に関するもので、厚手のもの１層でもよいが、２層または中に芯材などを入れた３層構造の布地は堅牢で防寒性が増大する。請求項５の考案は、底の布地も２層構造とし、しかも外側をポケット状にして中に酸化鉄系の簡易暖房具やカイロを入れるようにすることによって一段と防寒に役立つ。さらに請求項６の考案は横長の布地部分前面にほぼ台形の別の布地を台形の上下辺を固着させればポケットを形成でき、両手をそこに挿し込めば両手の保温に役立つものである。
【考案の効果】
【０００８】  本考案は、先に述べた従来の車椅子用防寒具の問題点を解決するため、鋭意検討の結果なされたものである。本考案では、身体の故障や血行障害等のため歩行困難な人が車椅子を使用する場合、特に冬期にあっては屋内外を問わず、車椅子に乗る際に先ず円筒部に足を入れさえすれば、車椅子に腰掛けたまま膝から腹にかけて縦長の布地部分で体の前面を覆うことができ、左右の紐によって装着固定することができる。特に請求項２の考案のようにＴ字形布地の下部の扇状部分により円筒部の先端が爪先上りにならずに車椅子の足を乗せる台に密着できるので、足を安定化して防寒できる。【０００９】  本考案では、腰掛けたまま装着できることは、立った状態で装着したり、或いは尻部から背中まで袋状のものに入れて腰掛ける方式と異なり、腰掛けた際防寒具がズレたり、皺ができて坐り心地が悪くなる等の不都合を生じない。【００１０】  その上、手は横長布地部分に設けたポケットに入れることができるので暖かいし、また足も底のポケット部に暖房具を入れることができるので一層暖かで快適である。紐は防寒具を体に捲いて固定するためのもので、車椅子に固定しないので安全である。
【考案を実施するための最良の形態】
【００１１】  本考案の実施形態を図によって説明する。
図１は本考案の車椅子用下半身防寒具で、（ａ）は表面、（ｂ）は裏面をそれぞれ示す。縦長布地部分１と横長布地部分２は一体化してＴ字形布地１となっている。縦長布地下部には底３があり、立ち上がり布地５と共に縦長布地部分とから縫製により円筒部を形成している。そして横長の布地部分には両手を入れるポケット４を持つほぼ台形の布地６が縫い合わされている。図３は底の下面を示し底３は二層構造でポケット４を有し、暖房具の挿入を可能にしている。【００１２】  図２は別の態様の車椅子用下半身防寒具を示す。図１と異なるのは縦長の布地部分が下方は末広がりで、下部は扇状になっている点で、これによって足を入れる円筒部が爪先まで車椅子の足を乗せる台に密着できることであり、そのために縦長布地部分の下方末広がり部８、下部扇状部９を設け、円筒部を形成するには末広がり部８を内側に曲げると共に襠１０を当て縫い合わせる。
【図面の簡単な説明】
【００１３】
【図１】  図１は本考案の車椅子用下半身防寒具であり、（ａ）は表面、（ｂ）は裏面を示す。
【図２】  図２は本考案の車椅子用下半身防寒具の別の態様であり、（ａ）は表面、（ｂ）は裏面を示す。
【図３】  図３は底の下面を示す。
【図４】  図４は本考案の車椅子用下半身防寒具を車椅子に腰掛けた状態で装着した状況を示す。
【符号の説明】
【００１４】１  Ｔ字形布地                      １  縦長布地部分
２  横長布地部分                    ３  底
４  ポケット                        ５  円筒部
６  台形布地                        ７  紐
８  末広がり部分                    ９  扇状部分
１０  襠                            １１  固着部
【図１】
0003120276.tif 000003
【図２】
0003120276.tif 000004
【図３】
0003120276.tif 000005
【図４】
0003120276.tif 000006